(57)【要約】【目的】　多種多様なイベントの性質に応じて、音の適度な反射拡散と吸音を可能とし音響性能の高い空間を作ることを目的とする。【構成】　固定レール２４８が屋根下の空間に張り出し、この固定レール２４８に沿ってスライドレール１７０がスライドする。スライドレール１７０には、台車１７４が走行可能に取付けられている。台車１７４には、上下に折り畳まれた音響パネル１７２が吊下されており、台車１７４がスライドレール１７０の先端部まで移動すると、ウインチ２８０がワイヤを繰り出して音響パネル１７２を下方に展開させる。これによって、音響壁が構築される。【選択図】　　　　図１８
2004044388.tif 000002
【特許請求の範囲】
【請求項１】
屋根下の空間に張り出した固定レールと、前記固定レールに沿ってスライドするスライドレールと、前記スライドレールに沿って移動する台車と、前記台車に吊下され上下に折り畳まれた音響壁と、前記音響壁の下端に連結されたワイヤを繰り出し音響壁を展開させる巻取手段と、を有することを特徴とする空間可変装置。
【請求項２】
前記音響壁を構成する各音響壁パネルの角部をヒンジで回動可能に連結したことを特徴とする請求項１に記載の空間可変装置。
【発明の詳細な説明】
【技術分野】
【０００１】
　本発明は、建物内の空間を使用形態に応じて仕切る空間可変装置に関する。
【背景技術】
【０００２】
　近年、野球やサッカーを主用途としたドームの有効利用を図り、主用途以外の多種多様なイベントにいかに対応させるかが、大きな社会的なニーズとなっている。
【０００３】
　このようなドーム空間を多種多様なイベントに対応させる方法として、ドームの天井の内側に膜材で出来た昇降可能なウォールカーテンを配置し、このウォールカーテンで空間を水平に仕切るものがある（特開平６−２４０８９７号、特開平６−２００５８８０号公報参照）。
【０００４】
　しかし、この方法は、天井高を低くし気積を縮小することで、残響性能をある程度コントロールできるが、ウォールカーテンに反射、吸音、拡散、及び遮音性能がないため、高い性能の音響空間を構築することが困難であった。また、ウォールカーテンがドーム天井の上方で常時待機しているので、意匠上の問題がある。
【０００５】
　さらに、複数のイベントを同時開催する場合、空間を鉛直に仕切る必要があるが、このような要請に対応したシステムがまだ提案されていない。
【特許文献１】特開平６−２４０８９７号公報
【特許文献２】特開平６−２００５８８０号公報
【発明の開示】
【発明が解決しようとする課題】
【０００６】
　本発明は係る事実を考慮し、多種多様なイベントの性質に応じて、音の適度な反射拡散と吸音を可能とし音響性能の高い空間を作ることを目的とする。
【課題を解決するための手段】
【０００７】
　請求項１に記載の空間可変装置は、屋根下の空間に張り出した固定レールと、前記固定レールに沿ってスライドするスライドレールと、前記スライドレールに沿って移動する台車と、前記台車に吊下され上下に折り畳まれた音響壁と、前記音響壁の下端に連結されたワイヤを繰り出し音響壁を展開させる巻取手段と、を有することを特徴としている。
【０００８】
　請求項１に記載の空間可変装置では、固定レールが屋根下の空間に張り出し、この固定レールに沿ってスライドレールがスライドする。スライドレールには、台車が走行可能に取付けられている。台車には、上下に折り畳まれた音響壁が吊下されており、台車がスライドレールの先端部まで移動すると、巻取手段がワイヤを繰り出して音響壁を下方に展開させる。これによって、音響壁が構築される。
【０００９】
　請求項２に記載の空間可変装置は、前記音響壁を構成する各音響壁パネルの角部をヒンジで回動可能に連結したことを特徴としている。
【００１０】
　請求項２に記載の空間可変装置では、音響壁を構成する音響壁パネルの角部がヒンジで回動可能に連結されている。従って、音響壁パネルは反転する位置（１８０°回転）まで２つに折り畳むことが可能となる。
【発明の効果】
【００１１】
　本発明は上記構成としたので、大空間の気積をイベントの規模に応じ、空間の平面規模、断面規模を可変できる。音の適度な反射拡散と吸音を可能となり、音響性能の高い空間を作ることができる。
【発明を実施するための最良の形態】
【００１２】
　図６〜図９に示すように、本実施例に係る空間可変装置は、ドーム状の屋根１０で覆われ大空間を構成するアリーナ１２に適用される。
【００１３】
　このアリーナ１２は、中央部に野球、サッカー等がプレイできるフィールド１４を備えており、このフィールド１４の外周は、階段状のスタンド１６で囲まれている。フィールド１４は、ＲＣ床構造とされており、野球等のゲームを行う場合は、人工芝（図示省略）が敷かれようになっている。また、イベント等の空間として使用するときは、人工芝はＲＣ床の下に形成された地下ピット内へ巻き取られ収納される。また、屋根１０は、鋼管キールトラスで支えられており、この鋼管キールトラスは、アリーナ１２の4 隅の配置されたスーパーコア１７に支持されている。
（音響天井システム）
　図４、図１０及び図１１に示すように、フィールド１４とスタンド１６との境界線上には、２条の走行レール６２がアリーナ１２の長手方向へ水平に架け渡されている。この走行レール６２には、複数の走行ビーム１５６が架け渡され、走行レール６２に沿って走行するようになっている。
【００１４】
　この走行ビーム１５６の両端には、走行ローラー１９２が配設されており、この走行ローラー１９２が走行レール６２の上を走行する。この走行ローラー１９２と同軸上に駆動ギア１９４が取付けられている（図１５参照）。この駆動ギア１９４と、駆動モータ１９０によって回転するギアとには、チェーン１９６が巻き掛けられている。これによって、走行ビーム１５６が走行レール６２の上を移動することができる。なお、走行ビーム１５６の両端に配置された駆動モータ１９０は、エンコーダを介して同調して回転するように制御され、また、インバータ制御によって、所定の位置に走行ビーム１５６が停止される。さらに、図示しない電動シリンダがピンを走行レール６２に設けられた位置決め部材に差し込み、走行ビーム１５６を所定の位置でロックする。
【００１５】
　一方、走行ビーム１５６は、断面形が逆三角台形状となる構造で、その下端には取付板１９６が固定されている。この取付板１９６には、２つの固定滑車１９８が取付けられている。この２つの固定滑車１９８には、一本のワイヤ２００が上側から巻き掛けられ、下方でクロスされている。このワイヤ２００は、昇降パネル２０２の上面に取付けられた２つの動滑車２０４を吊下し、走行ビーム１５６に取付けられた滑車２０６を介して、ウインチ２０８に巻き取られている。なお、ワイヤ２００の両端は、巻き出し巻き取り方向が同一方向となるように、ウインチ２０８に巻き取られている。このように、一本のワイヤ２００をクロスして昇降パネル２０２を吊下することによって、互いに横方向へ引っ張る力が反発するので、昇降パネル２０２の昇降時及び地震時の横揺れを防止できる。なお、横揺れ防止は他の方法によっても実現できる。
【００１６】
　また、動滑車２０４は、防振ゴム（図示省略）を介在させて昇降パネル２０２に固定されており、昇降時の振動を低減させている。
【００１７】
　昇降パネル２０２の幅方向の両端には、シーリングが施されたヒンジ２１０を介して音響天井パネル１６０が連結されている。この音響天井パネル１６０の中間部付近には、ワイヤ２１２の一端が連結されている。このワイヤ２１２の他端はホイスト２１４に巻き取られており、このホイスト２１４でワイヤ２１２を巻き取ることによって、音響天井パネル１６０をＶ字状に折り畳むことができ、また、ワイヤ２１２を巻き出すことによって、音響天井パネル１６０をへの字状に展開できるようになっている。
【００１８】
　また、昇降パネル２０２には、貫通孔２１６が穿設されており、この貫通孔２１６をワイヤ２１８が貫通している。ワイヤ２１８の下端には吊り物用のフック２２０が取付けれている。このワイヤ２１８は、走行ビーム１５６に配設されたウインチ２２２で巻き上げられる。
【００１９】
　一方、音響天井パネル１６０及び昇降パネル２０２は、アルミ製又は鋼製のパネルに吸音材を裏打ちして構成され、音の反射を主目的とするパネルと音の吸収を主目的とするパネルが用いられている。これによって、イベントに応じて形状を変化させ、最適な音場を形成することができる。なお、専門空間を構成する場合、ステージ回りには、反射を目的とした音響天井パネルを、後部客席寄りには、吸音を目的とした音響天井パネルが位置するように、走行ビーム１５６を配置する。
【００２０】
　また、シーリングライト１６２及びスポットライト１６４が装着された走行ビーム１６６も配設されており（図６参照）、この走行ビーム１６６には、ライト操作用の昇降式歩廊が備えられている。
【００２１】
　一方、図６に示すように、スタンド１６の上部には、走行ビーム１５６が音響天井パネル２１０を折り畳んだ状態で待機する収納庫５２が設けられている。この収納庫５２には、スタンド１６の上方域へ水平に張り出しアーチ状の上段レール１８と接続された収納レール５４が備えられている。この収納レール５４には、後述する走行ビーム２０が天井パネル４２を折り畳んだ状態で収納されている。
【００２２】
　また、この収納レール５４の上段には、収納レール１５８が配設されている。図１２及び図１５に示すように、収納庫５２を構成する支柱２２６の上部には、横部材２２８が架け渡されている。この横部材２２８の下部には、直交するように固定レール２３０が取付けられており、この固定レール２３０には、走行装置２３２が走行可能に支持されている。走行装置２３２には、固定レール２３０と直交する方向に延出する移動レール２３４が取付けられている。
【００２３】
　また、移動レール２３４には、駆動装置２３６を介してリフター１６８が吊下されている。これによって、リフター１６８は、移動レール２３４に沿って移動可能となっている。リフター１６８は、２つのテレスコピック２３８を備えている。このテレスコピック２３８の下端には、掛止板２４０が固定され昇降可能となっている。この掛止板２４０には、走行ビーム１５６の端部から突設された掛り板２４２が引っ掛けられるようになっている。また、掛止板２４０の上面には、リフター１６８に配設されたウインチ２４６に巻き取られたワイヤ２４４が連結されている。
【００２４】
　以上のような構成によって、図１２に示すように、走行ビーム１５６が自走して収納レール１５８の端部まで移動すると、リフター１６８が右側に移動して、掛止板２４０で掛り板２４２を引っ掛ける。次に、図１３及び図１５に示すように、左側にリフター１６８が移動し、収納レール１５８から走行ビーム１５６を離した状態で吊下する。次に、図１４及び図１６に示すように、テレスコピック２３８を伸張させると共に、ワイヤ２４４を巻き出し、走行ビーム１５６を走行レール６２の上に載せる。
【００２５】
　このように、走行ビーム１５６を収納庫５２に収納することで、屋根１０の下方に走行ビーム１５６が常時待機することなく、不使用時には、収納庫５２に収納され観客から見えないので、アリーナ１２全体の景観が良くなる。
（音響壁システム）
　図９及び図１７に示すように、アリーナ１２のスタンド１６上部の梁２４６には、固定レール２４８が取付けられている。この固定レール２４８には、走行装置２５０、２５２を介してスライド式レール１７０が固定レール２４８に沿ってスライド可能に取付けられている。
【００２６】
　図２１に示すように、走行装置２５０には、固定レール２４８のフランジ面上を走行する走行ローラー２８６が設けられており、また、走行装置２５２には、逆にスライド式レール１７０のフランジ面を吊下する吊下ローラー２８８を備えている。これによって、スライド式レール１７０がスムーズにスライドすることができる。なお、固定レール２４８の端部にはストッパー板２９０が、また、スライド式レール１７０の端部にはストッパー板２９２が、取付けられており、スライド式レール１７０が転落しないようになっている。
【００２７】
　また、スライド式レール１７０には、図２０に示すように、台車１７４が移動可能に載せられている。この台車１７４は、図示しない駆動モータによって回転するギア２５４を備えている。このギア２５４は、軸受台２５６によって両端部が軸支されたシャフト２５８の中央部に設けられたウォームギア２６０と噛み合っている。シャフト２５８の両端には、走行ローラー２６２が固定されており、スライド式レール１７０のフランジ面へ載置されている。これによって、台車１７４がスライド式レール１７０に沿って移動する。
【００２８】
　一方、台車１７４には、シーザスタイプの展開機構を用いた音響壁パネル１７２が吊下されている。この音響壁パネル１７２は、図２２及び図２３に示すように、アルミ製又は鋼製の横材２６４と縦材２６６でフレームが組まれており、横材２６４に設けられたフランジ２７２にボルト２７６で補強用のブレース２７４が回動可能に取付けられた構成となっている。このフランジ２７２の角部が、丁番２７０で連結されおり、矢印Ａ方向に反転して展開可能となっている。なお、丁番２７０を横材２６４の角部に設けて、横材２６４同士を連結してもよい。
【００２９】
　また、音響壁パネル１７２は、不使用状態では、図１７に示すように、上下方向に折り畳まれており、図１８に示すウインチ２８０によって巻き上げ又は巻き出されるワイヤ２８２が下端に連結されている。このワイヤ２８２を巻き出すことによって、音響壁パネル１７２は自重で展開し、客席サイドに壁面を構成するようになっている。なお、展開及び折り畳み動作を始める際、図示しない電動シリンダーがウインチ２８０と同調して作動して、音響壁パネル１７２を方向付けるようになっている。
【００３０】
　また、音響壁パネル１７２の表側には、吸音材を裏打ちしたアルミ板が貼り付けられ、裏側には、テフロン（登録商標）コーテングしたクロスグラスを貼り付けて構成されている。
【００３１】
　なお、音響壁パネル１７２は遮音でなく、音を反射して専門空間音場を形成するためのものである。従って、スリット状の隙間は許容される。また、隙間から外光が入射しないように、フレキシブルな遮光膜材で隙間をカバーしてもよい。（遮音遮光天井のシステム）
　図６〜図８に示すように、フィールド１４とスタンド１６との境界線上には、２条の上段レール１８がアリーナ１２の長手方向へアーチ状に架け渡されている。この上段レール１８には、複数の走行ビーム２０が架け渡され、上段レール１８に沿って走行するようになっている。
【００３２】
　この走行ビーム２０には、天井パネル４２がＶ字状に折り畳まれており、走行ビーム２０が所定の位置に移動すると、ホイスト４８でワイヤ４６を巻き出し、水平に展開するようになっている。これによって、アリーナ１２の空間が遮音、吸音、及び遮光の機能を持った天井で分割される。
【００３３】
　また、上段レール１８の右端には、収納庫５２が設けられている。この収納庫５２には、スタンド１６の上方域へ水平に張り出し上段レール１８と接続された収納レール５４が備えられている。この収納レール５４には、走行ビーム２０が天井パネル４２を折り畳んだ状態で乗り移って収納される。
（遮音遮光壁システム）
　また、図６に示すように、上段レール１８の下方には、２条の下段レール５８（走行レール６２のスタンド側）が、アリーナ１２の長手方向へ水平に架け渡されている。この下段レール５８には、走行トラス６０が架け渡され、下段レール５８に沿って走行するようになっている。
【００３４】
　この走行トラス６０には、スーパーコア１７（図２Ｂ参照）に収納されたガイドポスト９８が乗り移ることができるようになっている。このガイドポスト９８は、収納レール１００に沿って走行する。このガイドポスト９８によって、後述する防音シャッター１１８の開閉動作時、及び地震力等の水平力に対抗できるようになっている。
【００３５】
　一方、アリーナ１２の中央のスタンド１６の上方には、屋根１０から固定トラス１３４が吊られている。この固定トラス１３４には、走行トラス６０が固定トラス１３４と線上に並ぶ位置まで移動すると、走行トラス６０に吊下された短いサイズのガイドポスト９８が固定トラス１３４側へ乗り移る。
【００３６】
　さらに、走行トラス６０及び固定トラス１３４には、防音シャッター１１８を巻き取ったドラム１３２が内蔵されており、スタンド１６を防音シャッター１１８で仕切ることができるようになっている。
【００３７】
　また、走行トラス６０の上部には、遮音板１４２が傾倒可能に軸支されている。この遮音板１４２は、電動シリンダーを伸張させることによって、回動して起立状態となり、走行トラス６０と天井パネル４２との間の隙間を遮蔽する。
（移動式トラス）
　図３及び図６に示すように、下段レール５８には立体トラス構造の移動式トラス１７６が走行可能に架け渡されている。この移動式トラス１７６には、バトン等を吊る装置、大型映像吊り装置が搭載されている。移動式トラス１７６は、下段レール５８の全長に亘って走行できるようになっており、任意の位置で停止しロックされる。
【００３８】
　また、移動式トラス１７６には、ステージの前面上部及び両袖を構成する垂れ壁１７８が配設されている。この垂れ壁１７８は、シーザスタイプの展開機構を用いたパネルで構成されており、必要に応じて下方へ展開される。
（可動席システム）
　図５及び図６に示すように、アリーナ１２のスタンド１６の客席のうち、上段と中段は固定席となっているが、下段席は可動席１８０とされている。この可動席１８０は、昇降式のステージ１８２に搭載されており、ステージ１８２を上下させることによって可動席１８０の高さを可変させることができる。
【００３９】
　ステージ１８２には、水平方向へ伸縮可能な展張可動席１８４が収納されており、フィールド１４の上に展張し、イベントの種類に応じて、最適な可視条件と客席配置が実現できるようになっている。
（可搬式ステージシステム）
　図６に示すように、フィールド１４を構成するＲＣ床構造の一部は、昇降式床面１８６とされている。地下ピット内には、昇降装置が設けられており、昇降式床面１８６へ地下ピットに収納されたステージを載せ、フィールド１４の上に上昇させることができるようになっている。
【００４０】
　なお、以上説明した構造は、自動制御によってシステム全体を連動して自動制御される場合と、個々に制御される場合とがある。
【００４１】
　制御システムは、モニタリング機能を有し、常に運転状況を監視すると共に、各主要部品の故障を予知する警告機構を有している。また、運転時間、消費電力、故障部位、メンテナンス等に関するデータをコンピュータで処理することによって、合理的な運転方法の決定やメンテナンス計画を立てることができる。
（空間可変手順）
　ここで、アリーナ１２の空間を可変させる手順を、競技空間から音楽イベント空間へ転換する場合を例に採って説明する。なお、各システムはそれぞれ単独使用でき、また、任意に組み合わせできることは無論である。
【００４２】
　図１に示すように、天井パネル４２が折り畳まれて収納された走行ビーム２０が、上段レール１８に沿って所定の位置まで移動しロックされる。ここで、天井パネル４２が展開して、遮音遮光天井を構築する。
【００４３】
　次に、図２に示す走行トラス６０が収納レール１００（図９参照）の位置に移動し、ガイドポスト９８が自走して走行トラス６０に乗り移る。ここで、走行トラス６０がガイドポスト９８を吊った状態で固定トラス１３４の位置まで移動しロックされる。次に、ガイドポスト９８が自走して、走行トラス６０の上に所定の間隔で配置されてロックされ、また、短いガイドポスト９８が固定トラス１３４へ乗り移り、所定の間隔で配置されロックされる。次に、ドラム１３２が防音シャッター１１８を巻き出して空間を２分する遮音遮光壁を構築する。
【００４４】
　また、走行トラス６０に配置された起立式の遮音板１４２を跳ね上げ、走行トラス６０と天井パネル４２との間を遮蔽する（図７参照）。
【００４５】
　次に、図３に示すように、移動式トラス１７６が、吊り物バトンと垂れ壁１７８を吊下して、下段レール５８に沿って移動し、所定の位置で停止し垂れ壁１７８を展開する。
【００４６】
　次に、スライド式レール１７０が所定の位置まで伸び、さらに、音響壁パネル１７２の台車１７４が所定の位置まで移動する。ここで、音響壁パネル１７２が下方へ展開して、客席サイドに音響壁を構築する。
【００４７】
　次に、図４に示すように、音響天井パネル１６０を折り畳んで収納された走行ビーム１５６が、リフター１６８（図７参照）で走行レール６２の上に下降し、走行レール６２に沿って移動する。
【００４８】
　所定の位置まで移動するとロックされ、音響天井パネル１６０が下降展開して、音響天井を構築する。なお、吊り物がある場合は、走行ビーム１６６（図６参照）に設置された昇降装置のケーブルがフィールド１４まで下降し、吊り物を所定の位置まで吊り上げる。
【００４９】
　次に、図５に示すように、可動席１８０を上昇させ、ステージ１８２に収納された展張可動席１８４をフィールド１４側へ展張し、最適な可視条件を確保する。
【００５０】
　次に、図６に示すように、フィールド１４の昇降式床面１８６を上昇させ、また、必要に応じて演出サポート用具を配設する。
【図面の簡単な説明】
【００５１】
【図１】（Ａ）は天井パネルを構築している状態の断面図であり、（Ｂ）は天井パネルを構築している状態の斜視図である。
【図２】（Ａ）は壁面を構築している状態の断面図であり、（Ｂ）は壁面を構築している状態の斜視図である。
【図３】（Ａ）は客席サイド側の音響壁面と垂れ壁を構築している状態の断面図であり、（Ｂ）は客席サイド側の音響壁面と垂れ壁を構築している状態の斜視図である。
【図４】（Ａ）は音響天井を構築している状態の断面図であり、（Ｂ）は音響天井を構築している状態の斜視図である。
【図５】（Ａ）は可動席を構築している状態の断面図であり、（Ｂ）は可動席を構築している状態の斜視図である。
【図６】完成した音楽イベントホールの斜視図である。
【図７】完成した音楽イベントホールの断面図である。
【図８】アリーナの断面図である。
【図９】アリーナの平面図である。
【図１０】音響天井パネルが折り畳まれた状態を示す側面図である。
【図１１】音響天井パネルが展開した状態を示す側面図である。
【図１２】音響天井パネルを備えた走行ビームが収納庫からレールへ移動する状態を示した側面図である。
【図１３】音響天井パネルを備えた走行ビームが収納庫からレールへ移動する状態を示した側面図である。
【図１４】音響天井パネルを備えた走行ビームが収納庫からレールへ移動する状態を示した側面図である。
【図１５】音響天井パネルを備えた走行ビームが収納庫からレールへ移動する状態を示した正面図である。
【図１６】音響天井パネルを備えた走行ビームが収納庫からレールへ移動する状態を示した正面図である。
【図１７】音響壁パネルが移動する状態を示した側面図である。
【図１８】音響壁パネルが移動し展開途中の状態を示した側面図である。
【図１９】音響壁パネルが移動し展開した状態を示した側面図である。
【図２０】音響壁パネルが展開した状態を示した正面図である。
【図２１】スライド式レールのスライド機構を示した側面図である。
【図２２】音響壁パネルが折り畳まれた状態を示したヒンジ部分の側面図である。
【図２３】音響壁パネルが展開した状態を示したヒンジ部分の側面図である。
【符号の説明】
【００５２】
　　　　６２　　　走行レール
　　　　１５６　　走行ビーム（走行梁）
　　　　１５８　　収納レール
　　　　１６０　　音響天井パネル
　　　　１６８　　リフター
　　　　１７０　　スライド式レール
　　　　１７２　　音響壁パネル
　　　　１７４　　台車
　　　　２０２　　昇降パネル
　　　　２４８　　固定レール
　　　　２７０　　丁番
【図１】
2004044388.tif 000003
【図２】
2004044388.tif 000004
【図３】
2004044388.tif 000005
【図４】
2004044388.tif 000006
【図５】
2004044388.tif 000007
【図６】
2004044388.tif 000008
【図７】
2004044388.tif 000009
【図８】
2004044388.tif 000010
【図９】
2004044388.tif 000011
【図１０】
2004044388.tif 000012
【図１１】
2004044388.tif 000013
【図１２】
2004044388.tif 000014
【図１３】
2004044388.tif 000015
【図１４】
2004044388.tif 000016
【図１５】
2004044388.tif 000017
【図１６】
2004044388.tif 000018
【図１７】
2004044388.tif 000019
【図１８】
2004044388.tif 000020
【図１９】
2004044388.tif 000021
【図２０】
2004044388.tif 000022
【図２１】
2004044388.tif 000023
【図２２】
2004044388.tif 000024
【図２３】
2004044388.tif 000025